(57)【要約】【課題】  本発明は、競馬、競輪、競艇等公営競技のレースに対する投票券をネットワークに接続する投票端末から投票券を購入する予約投票システムにおいて、レースが開始される前に、予約した投票内容の変更や取消を可能とする予約投票の技術に関する。【解決手段】  ネットワークを介して投票端末からの予約投票を管理する予約投票管理サーバであって、投票端末からの予約投票に関する所定データと、仮投票から本投票への移行時間および移行前の確認時間に関するデータとを取得して予約テーブルとして格納し、取消を含む当該予約投票の変更に関する問い合わせ画面を利用者の投票端末に提示して、利用者から本投票移行前の変更の有無を確認する手段と、予約投票に変更があった場合に、前記予約投票テーブルの内容を変更する手段と、その予約投票テーブルにしたがって投票ホストに本投票への移行を通知する手段とを有することを特徴とする。【選択図】図１
2005322151.tif 000002
【特許請求の範囲】
【請求項１】
ネットワークを介して投票端末から申し込まれた公営競技の予約投票を管理する予約投票管理サーバであって、
投票端末において利用者が入力した予約投票に必要な所定データと、仮投票から本投票への移行時間および移行前の確認時間に関するデータとを取得し、レース毎に予約投票テーブルとして記憶部に格納する予約投票データ格納手段と、
前記予約投票テーブルを参照し、取消を含む当該予約投票の変更に関する問い合わせ画面を利用者の投票端末に提示して、利用者から本投票移行前の変更の有無を確認する移行確認手段と、
前記移行確認手段における利用者からの確認データに基づいて、当該予約投票に変更があった場合に、前記予約投票テーブルの内容を変更する変更手段と、
変更された前記予約投票テーブルにしたがって、本投票を処理する投票ホストに向けて仮投票から本投票への移行を通知する本投票移行通知手段と、
を有することを特徴とする予約投票管理サーバ。
【請求項２】
ネットワークを介して投票端末から申し込まれた公営競技の予約投票を管理する予約投票管理システムにおけるオッズ情報提供装置であって、
レース開始前の所定時刻に、前記予約投票テーブルから仮投票の段階にある予約票数および投票ホストで保有する本投票の状態にある本票数のデータを取得し、レース毎の出走番号あるいは枠番号の組合せにおいて前記予約票数と本票数を加算し、仮票数テーブルに集計する票数集計手段と、
前記仮票数テーブルにおけるレース毎の仮票数の総票数を各組の仮票数で割って仮オッズを計算する仮オッズ計算手段と、
前記仮オッズ計算手段によって得られた仮オッズ情報を投票端末に送信するオッズ情報送信手段と、
を有することを特徴とするオッズ情報提供装置。
【請求項３】
ネットワークを介して投票端末から申し込まれた公営競技の予約投票を管理する予約投票管理方法であって、
投票端末において利用者が入力した予約投票に必要な所定データと、仮投票から本投票への移行時間および移行前の確認時間に関するデータとを取得し、レース毎に予約投票テーブルとして記憶部に格納する予約投票データ格納ステップと、
前記予約投票テーブルを参照し、取消を含む当該予約投票の変更に関する問い合わせ画面を利用者の投票端末に提示して、利用者から本投票移行前の変更の有無を確認する移行確認ステップと、
前記移行確認ステップにおける利用者からの確認データに基づいて、当該予約投票に変更があった場合に、前記予約投票テーブルの内容を変更する変更ステップと、
変更された前記予約投票テーブルにしたがって、本投票を処理する投票ホストに向けて仮投票から本投票への移行を通知する本投票移行通知ステップと、
を有することを特徴とする予約投票管理方法。
【請求項４】
ネットワークを介して投票端末から申し込まれた公営競技の予約投票を管理する予約投票管理システムにおけるオッズ情報提供方法であって、
レース開始前の所定時刻に、前記予約投票テーブルから仮投票の段階にある予約票数および投票ホストで保有する本投票の状態にある本票数のデータを取得し、レース毎の出走番号あるいは枠番号の組合せにおいて前記予約票数と本票数を加算し、仮票数テーブルに集計する票数集計ステップと、
前記仮票数テーブルにおけるレース毎の仮票数の総票数を各組の仮票数で割って仮オッズを計算する仮オッズ計算ステップと、
前記仮オッズ計算ステップによって得られた仮オッズ情報を投票端末に送信するオッズ情報送信ステップと、
を有することを特徴とするオッズ情報提供方法。
【請求項５】
ネットワークを介して投票端末から申し込まれた公営競技の予約投票を管理する予約投票管理プログラムであって、
コンピュータに、
投票端末において利用者が入力した予約投票に必要な所定データと、仮投票から本投票への移行時間および移行前の確認時間に関するデータとを取得し、レース毎に予約投票テーブルとして記憶部に格納する予約投票データ格納ステップと、
前記予約投票テーブルを参照し、取消を含む当該予約投票の変更に関する問い合わせ画面を利用者の投票端末に提示して、利用者から本投票移行前の変更の有無を確認する移行確認ステップと、
前記移行確認ステップにおける利用者からの確認データに基づいて、当該予約投票に変更があった場合に、前記予約投票テーブルの内容を変更する変更ステップと、
変更された前記予約投票テーブルにしたがって、本投票を処理する投票ホストに向けて仮投票から本投票への移行を通知する本投票移行通知ステップと、
を実行させる予約投票管理プログラム。
【請求項６】
ネットワークを介して投票端末から申し込まれた公営競技の予約投票を管理する予約投票管理システムにおけるオッズ情報提供プログラムであって、
コンピュータに、
レース開始前の所定時刻に、前記予約投票テーブルから仮投票の段階にある予約票数および投票ホストで保有する本投票の状態にある本票数のデータを取得し、レース毎の出走番号あるいは枠番号の組合せにおいて前記予約票数と本票数を加算し、仮票数テーブルに集計する票数集計ステップと、
前記仮票数テーブルにおけるレース毎の仮票数の総票数を各組の仮票数で割って仮オッズを計算する仮オッズ計算ステップと、
前記仮オッズ計算ステップによって得られた仮オッズ情報を投票端末に送信するオッズ情報送信ステップと、
を実行させるオッズ情報提供プログラム。
【発明の詳細な説明】
【技術分野】
【０００１】
本発明は、競馬、競輪、競艇等公営競技のレースに対する投票券をネットワークに接続する投票端末から投票券を購入する予約投票システムにおいて、レースが開始される前に、予約した投票内容の変更や取消を可能とする予約投票の技術分野に関する発明であって、パソコンや専用機を使った在宅投票、競技場内において個人が占有できる在席投票端末や無線ＬＡＮ（Local Area Netork)を介した携帯投票端末等様々な形態の予約投票を可能とする予約投票システムを提供する。
【背景技術】
【０００２】
従来、公営競技のレースの投票券購入に関し、競馬、競輪、競艇場等の競技場の投票券発売の窓口に出向いて購入する以外に、利用者が、競技場の観覧席に在席したままで投票端末からの投票が行える方式（例えば、特許文献１）や、遠隔地から在宅のままパソコン等にインストールしたソフトによって、ネットワークを介して投票を行う方式（例えば、特許文献２）などが提案されている。
【０００３】
これらの方式によって予約投票は可能となるが、投票した後、時間の経過とともにオッズの変動が起こり、利用者として好ましくない方向にオッズが変動した場合や出走選手の取消や過去成績の見直しにより投票内容を変更したくなる場合が発生する。
【０００４】
しかしながら、競技場内の販売窓口に行けば、取消しは可能であるが、従来の在宅投票においては、一度投票してしまうと取消しを行うことができないという現状がある。また、競技場内でも投票券の発券を伴わない投票（在席投票や携帯投票）では、同様で一度投票してしまうと投票を取り消すことはできない。
【０００５】
さらに、従来、投票券の購入にあたって参照されるレース毎の出走番号や枠番号の各組合せに対するオッズ情報は、本投票された票数で計算されたもので提供されているが、予約投票され仮投票の段階にあるものは対象外であり、予約投票の利用者には、オッズ変動を予測するのが難しかった。
【特許文献１】特開２０００−２０６３２号公報
【特許文献２】特開２００２−１１７４２７号公報
【発明の開示】
【発明が解決しようとする課題】
【０００６】
上記した問題を解決するため、本発明の予約投票システムでは、本投票（実際の投票）の時間を指定することにより、その時間以前であれば予約投票を取消すことが可能な投票システムを提供する。
【０００７】
また、より的確な予測情報を与えるため、予約投票がなされると、本投票の本オッズだけではなく、本投票および予約投票された全ての票数を計算した仮オッズも参照することができるオッズ情報を提供する。この仮オッズと本オッズを比較することで、オッズの変動を予測してより価値ある投票の組み合わせを検討することが可能となる。
【課題を解決するための手段】
【０００８】
第一の発明は、ネットワークを介して投票端末から申し込まれた公営競技の予約投票を管理する予約投票管理サーバであって、投票端末において利用者によって入力された予約投票の所定データと、仮投票から本投票への移行時間および移行前の確認時間に関するデータとを取得し、レース毎に予約投票テーブルとして記憶部に格納する予約投票データ格納手段と、前記予約投票テーブルを参照し、取消を含む当該予約投票の変更に関する問い合わせ画面を利用者の投票端末に提示して、利用者から本投票移行前の変更の有無を確認する移行確認手段と、前記移行確認手段における利用者からの確認データに基づいて、当該予約投票に変更があった場合に、前記予約投票テーブルの内容を変更する変更手段と、変更された前記予約投票テーブルにしたがって、本投票を処理する投票ホストに向けて仮投票から本投票への移行を通知する本投票移行通知手段と、を有することを特徴とする予約投票管理サーバに関する。
【０００９】
すなわち、第一の発明によれば、予約投票管理サーバは、予約投票データ格納手段が、利用者の投票端末からレースの開催場、レース番号、単勝、複勝等の式別、番号の組合せからなる買目、票数など投票に必要な所定データを取得するとともに、利用者に入力させた仮投票から本投票に移行する時間、および本投票へ移行する前の移行確認時間を取得し、それらのデータを記憶部にレース毎に予約投票テーブルとして格納する。
【００１０】
そして、移行確認手段が、前記予約投票テーブルを参照し、セットされた移行確認時間に、申し込んだ予約投票に、取消を含む変更がないかを確認する画面を利用者の投票端末に提示し、利用者からの確認データを得て、当該予約投票の内容に変更があった場合に、前記予約投票テーブルを変更し、本投票移行通知手段が、その変更された当該予約テーブルにしたがって、仮投票から本投票への移行通知を投票ホストに送信して本投票の処理を行わせるシステムとすることで、実際に本投票が処理される前に、投票内容の変更や取消を容易に行うことが可能となる。
【００１１】
第二の発明は、ネットワークを介して投票端末から申し込まれた公営競技の予約投票を管理する予約投票管理システムにおけるオッズ情報提供装置であって、レース開始前の所定時刻に、前記予約投票テーブルから仮投票の段階にある予約票数および投票ホストで保有する本投票の状態にある本票数のデータを取得し、レース毎の出走番号あるいは枠番号の組合せにおいて前記予約票数と本票数を加算し、仮票数テーブルに集計する票数集計手段と、前記仮票数テーブルにおけるレース毎の仮票数の総票数を各組の仮票数で割って仮オッズを計算する仮オッズ計算手段と、前記仮オッズ計算手段によって得られた仮オッズ情報を投票端末に送信するオッズ情報送信手段と、を有することを特徴とするオッズ情報提供装置に関する。
【００１２】
すなわち、第二の発明によれば、予約投票管理システムにおけるオッズ情報提供装置は、票数集計手段が、セットされたレース開始前の所定時刻に、仮投票の段階にある予約票数を記憶部に格納している前記予約投票テーブルから取得する一方、投票ホストから本投票となっているレース毎の本票数を取得し、レース毎の出走番号あるいは枠番号の全ての組合せにおいて、前記本票数と予約票数とを各組毎に加算した仮票数テーブルを生成し、その生成した票数テーブルにしたがって、仮オッズ計算手段が、レース毎の仮票数の合計から各組のオッズを計算して、結果を仮オッズテーブルとして格納しておき、オッズ情報送信手段が、前記仮オッズテーブルの仮オッズ情報を必要に応じ、その投票端末に送信することで、レース直前の本投票移行への判断情報を提供するものである。
【００１３】
これによって、予約投票の利用者は、仮投票の状態にあっても仮オッズとしてオッズ情報が把握でき、オッズの変動に対してより確実に予測を立てることが可能となる。
【発明の効果】
【００１４】
本発明による予約投票を利用することで、予約投票を行った後でも、投票内容の変更や取消を容易に行うことが可能となり、また、仮オッズと本オッズを比較することで、今後のオッズ変動をある程度予測することが可能になり、オッズを活用して投票する利用者にとっては予想の楽しみが増すこととなる。
【発明を実施するための最良の形態】
【００１５】
以下、図面にもとづいて本発明の実施形態を説明する。
【００１６】
図１は、本発明の実施の形態になる予約投票管理システムの構成例を示す。本システムは、競馬、競輪、オートレース、競艇等の公営競技の投票システムであって、競技場内／場外発売所システムＡと公衆網／インターネット１０を介して接続された利用者端末Ｂとからなる。
【００１７】
競技場内／場外発売所システムＡは、センタ装置０と競技場内ＬＡＮ８を介して接続する在席投票端末６および場内無線アンテナ９によって通信する携帯投票端末７と、センタ装置０の投票ホスト１と直接接続する投票券自動販売機５とで構成され、また、パソコン１１、専用端末１２、携帯電話１３等からなる利用者端末Ｂとセンタ装置０の電話投票サーバ４とが公衆網／インターネット１０を介して接続された構成となっている。
【００１８】
また、センタ装置０は、実際の本投票の処理を行う投票ホスト１、競技場内の在席投票端末６および場内無線ＬＡＮアンテナ９と交信する携帯投票端末７から競技場内ＬＡＮ８を介して予約投票を受け付ける携帯／在席投票端末用投票サーバ３、利用者投票端末Ｂから公衆網／インターネット１０を介して予約投票を受け付ける電話投票サーバ４、および携帯／在席投票端末用投票サーバ３や電話投票サーバ４で受け付けた利用者の予約投票データを取得し、これら予約投票データに関しての本投票に至るまでの管理を行う予約投票管理サーバ２とで構成される。
【００１９】
本実施例では、予約投票管理サーバ２は、下位サーバとしての携帯／在席投票端末用投票サーバ３および電話投票サーバ４を介して、それぞれの投票端末からの予約投票のデータを集計する構成としているが、これら下位サーバを予約投票管理サーバ２に取り込んだ一つのサーバ構成で本発明を実現することも可能である。
【００２０】
図２は、本発明の実施の形態になる予約投票管理サーバの構成例を示す。予約投票管理サーバ２は、主制御部（ＣＰＵ）２１、本オッズ計算部２２、仮オッズ計算部２３、ホスト側通信制御部２４、本投票管理部２５、予約投票管理部２６、オッズ情報提供部２７、携帯／在席投票端末用投票サーバ３および電話投票サーバ４に対する下位サーバ側通信制御部２８、記憶部２９、および各部を接続するバス３０を備えたコンピュータであり、該コンピュータ上であらかじめ内蔵されたプログラムが実行されることによって各処理が実現される。
【００２１】
なお、これら当該プログラムは、フレキシブルディスク、コンパクトディスク、ＲＯＭ等のコンピュータ読み取り可能な記録媒体に記録され、また、とくに、図には示していないが、内蔵あるいは外部接続された媒体読取装置にセットし、インストールすることによって実行可能な状態としてもよい。
【００２２】
以下に、本発明における主要な要素である、予約投票管理サーバ２における予約投票管理部２６とオッズ情報提供部２７について説明する。
【００２３】
予約投票管理部２６は、下位サーバを介して、各投票端末からレースの開催場、レース番号、単勝、複勝等の式別、番号の組合せからなる買目、票数など投票に必要な利用者の所定データと、仮投票から本投票への移行時間および移行前の確認時間に関するデータとを取得し、集計した予約投票データを記憶部２９に予約投票テーブル３０１として格納する予約投票格納手段１０１と、仮投票から本投票に移行する前に、利用者に本投票への移行の意志を確認するため、変更の有無の問い合わせ画面を、競技場内の在席投票端末６、携帯端末７、および利用者投票端末Ｂ（パソコン１１、専用端末１２、および携帯電話１３）に提示し、利用者からの確認を得る移行確認手段１０２と、利用者による確認の結果、予約投票の内容に変更のある場合に、予約投票テーブル３０１のデータを変更する変更手段１０３と、その変更された予約投票テーブル３０１にしたがい、本投票を処理する投票ホスト１に対し、仮投票から本投票への移行を通知する本投票移行通知手段１０４とで構成される。
【００２４】
ここで、以下に記述される「投票端末」は、競技場内の在席投票端末６、携帯投票端末７、および利用者投票端末Ｂ（パソコン１１、専用端末１２、および携帯電話１３）等の利用者が予約投票するのに使用する予約端末の総称を表す。
【００２５】
また、オッズ情報提供部２７は、仮投票の状態にある予約票数を考慮した仮オッズを算出して本投票移行への判断情報としてのオッズ情報を提供するもので、票数集計手段２０１、仮オッズ計算手段２０２、およびオッズ情報送信手段２０３を備える。
【００２６】
票数集計手段２０１は、レース開始前の所定時刻に、仮投票の段階にあるレース毎の予約票数を前記予約投票テーブル３０１から取得し、レース毎の出走番号あるいは枠番号の組合せになる各組の集計結果を予約票数テーブル３０５として記憶部２９に展開する一方、本投票となったレース毎の本票数を投票ホスト１から取得し、レース毎の出走番号あるいは枠番号の組合せになる各組の集計結果を本票数テーブル３０４として記憶部２９に展開し、それら予約票数テーブル３０５と本票数テーブル３０４における各組の票数を加算し、その結果を仮票数テーブル３０６として記憶部２９に格納する。
【００２７】
また、仮オッズ計算手段２０２は、前記仮票数テーブル３０６におけるレース毎の仮票数の総合計票数を各組の仮票数で割ってオッズを計算し、仮オッズテーブル３０７として記憶部に格納する。
【００２８】
さらに、オッズ情報送信手段２０３は、利用者からの要求に応じ、前記仮オッズテーブル３０７のデータを投票端末（６、７、Ｂ（１１、１２、１３））に送信する。
【００２９】
ここで、票数とは、競馬の場合、レース毎の各組合せに投票された金額を１００を単位とした投票数を表したものであり、例えば、票数が１０ということは、１，０００円に相当する。
【００３０】
なお、記憶部２９には、予約投票テーブル３０１、投票締切時間テーブル３０２、利用者データテーブル３０３、本票数テーブル３０４、予約票数テーブル３０５、仮票数テーブル３０６、および仮オッズテーブル３０７が格納されている。
【００３１】
また、本投票管理部２５および本オッズ計算部２２は、投票ホスト１側に持たせても良いが、本実施例では、予約投票管理サーバ２の一構成要素として捉え、これらの処理部を介して、投票ホスト１側に置かれた本投票のデータが取得され、予約投票管理サーバ２側に取り込まれる構成を想定している。
【００３２】
図３は、本発明の実施の形態になる投票端末に表示される予約投票画面例（その１）を示す。図は、投票端末（在席投票端末６、携帯投票端末７、および利用者投票端末Ｂの総称）における予約投票入力の初期画面を示している。画面のａは、レースが行われる競技場名、レース名、単勝、複勝、連単（着順通り）、連複 (着順不同）等を示す式別、および「普通」、「ながし」、または「ボックス」を示す方式についての選択欄である。
【００３３】
なお、競馬においては、「ながし」とは、１頭の馬（１つの枠）を軸にして何頭（何枠）かの組み合わせを同額ずつ買う馬券の仕組みであり、「ボックス」とは、何頭（何枠）か選んでその全部の組み合わせを同額ずつ買う馬券の仕組みである。
【００３４】
ｂは、式別で実際に選択される馬番号を示しており、実施例では、式別が２連単で、５−６の組み合わせが選択されたことを示している。また、ｃは、賭ける金額のセット欄であり、例では、１００円単位で１０口（票数１０となる）がセットされ、金額が１，０００円となっていることを示している。
【００３５】
ｄ欄には、各組合せへの賭け (ベット）毎に、ｃ欄の金額「セット」ボタンが押下されると、それに対応した、場名、レース名、式別名、組番、および金額の項目からなるベットの内容がリストアップされる。例えば、第一行目には、Ａ場の２レースにおいて、３連単の４−５−６の組合せで、金額５００円を投票したことが示されている。また、ｅ欄には、その投票内容として、ベット数と金額が記され、例では、３ベットで合計２，０００円が賭けられたことを表している。
【００３６】
図４は、本発明の実施の形態になる投票端末に表示される予約投票画面例（その２）を示す。レースの投票入力が一通り終わった時点で、図３のｅ欄の「入力終了」ボタンが押下されると、図４の画面に切り替わり、利用者が申し込んだ投票内容の確認メッセージの画面が表示される。ｆ欄は、申し込んだ投票の一覧リストであり、レースの組番毎の全投票の内容と合計金額が示される。ｇ欄で、投票申込み内容の確認と投票処理の選択を促し、「キャンセル」ｈ、「すぐに投票」ｉ、および「予約投票」ｊのクリックボタンのいずれかを押下させる。
【００３７】
図５は、本発明の実施の形態になる投票端末に表示される予約投票画面例（その３）を示す。ｋ欄には、投票に関する所定項目データの入力とともに、各投票アイテム毎に「本投票移行時間」および「移行確認時間」を記入する画面が表示される。例えば、第一行目の投票アイテムでは、「１０：２５」が本投票への移行時刻であり、移行確認時間は、その「５分前」とセットされている。クリックボタンとしては、「キャンセル」ｌおよび「予約投票」ｍが設定されている。
【００３８】
図６は、本発明の実施の形態になる投票端末に表示される予約投票確認画面例を示す。ｎ欄には、申し込んだ投票アイテムの内容に、「投票締切時間」および「本投票移行時間／取消」の項目が付加されて表示される。第一行目の投票アイテムでは、「投票締切時間」は「１１：００」、および「本投票移行時間／取消」は「取消」が入力されている。
【００３９】
そして、ｎ欄の内容についての「キャンセル」ｏおよび「決定」ｐボタンが用意されている。本画面は、本投票移行前における利用者の最終的な確認データの入力となり、これによって取消等の変更を行うことが可能となる。
【００４０】
図７は、本発明の実施の形態になる予約投票テーブルを示す。予約投票テーブル３０１は、「予約番号」、「予約⇒本投票移行時間」、「予約⇒本投票移行確認時間」、「開催場」、「レース番号」、「式別」、投票対象の組合せ番号を表す「買目」、例えば、１００円単位に換算した投票金額を表す「票数」、「取消有無」、本投票の移行状態を示す「予約⇒本投票移行完了」、および「利用者番号」の項目についての複数のレコードで構成されている。例えば、第一のレコードでは、Ａ場の第１レースにおいて、３連単として馬連１−２−３の買目に１０票投票した予約番号１のアイテムは、利用者番号は０００１であり、９：５２に本投票への移行確認を経て、取消はなく、本投票移行時間は９：５７に完了となっていることを示している。
【００４１】
図８は、本発明の実施の形態になる投票締切時間テーブルを示す。投票締切時間テーブル３０２は、「レース番号」、Ａ場、Ｂ場の「投票締切時間」の項目についての複数のレコードで構成されている。例えば、第一のレコードでは、第１レースは、Ａ場は１０：００、Ｂ場は１０：１０と記されている。
【００４２】
図９は、本発明の実施の形態になる利用者データテーブルを示す。利用者データテーブル３０３には、「利用者番号」、「氏名」、「性別」、および「住所」の項目についての複数のレコードで構成されている。
【００４３】
図１０は、本発明の実施の形態になる本票数テーブルおよび予約票数テーブルから仮票数テーブルを算出する例を示す。仮オッズを計算するための仮票数の集計は、以下のように算出される。各レースの出走番号あるいは枠番号の組合せになる票数テーブルとして、投票ホスト１より取得したデータをもとに作られた本票数テーブル３０４、および予約投票テーブル３０１より取得したデータをもとに作られた予約票数テーブル３０５とを記憶部２９に展開させ、両者のテーブルの対応する各項目を加算することによって、仮票数テーブル３０６が得られ、記憶部２９に格納される。
【００４４】
本票数テーブル３０４は、投票ホスト１から本投票の状態にある本票数を取得して、レース毎に組合せテーブルとして展開したものであり、また、予約票数テーブル３０５は、予約投票管理サーバ２の予約投票テーブル３０１を参照して、仮投票の状態にある仮票数を、同様に、レース毎に組合せテーブルとして展開したものである。
【００４５】
実施例では、第１レースの馬券の２連複の場合を取り上げ、１−２の買目では、本票数が１，５６０票、予約票数が１２５票であり、両者を合わせた仮票数は、１，６８５票となることを示している。
【００４６】
図１１は、本発明の実施の形態になる仮オッズテーブルを示す。仮オッズテーブル３０７は、図１１に示した仮票数テーブル３０６をもとに、票数の総合計を各組の票数で割ったオッズを計算したものである。例えば、１−２の買目のオッズは７．２となり、５−６の買目のオッズは２３３．６となる。仮オッズテーブル３０７は、記憶部２９に格納しておき、利用者からの要求に応じ、あるいは予約投票管理サーバ２側から一方的に、各投票端末にレース毎の仮オッズ情報として提供することになる。
【００４７】
図１２は、本発明の実施の形態になる予約投票システムの予約処理フローを示す。まず、投票端末において、ステップＳ１１で、図３の投票入力画面を使い、利用者による投票データが入力されると、投票に必要なデータ（開催場やレース番号、式別、買目、票数等）が投票端末にセットされる。つぎに、ステップＳ１２において、セットされた投票アイテムが、予約投票か本投票かの判定を行い、予約投票であれば、ステップＳ１３に進み、予約投票から本投票への移行時間および本投票移行の確認時間をセットする。そして、ステップＳ１４において、投票データと、本投票移行時間および移行確認時間に関するデータを予約投票管理サーバ２に送信する。
【００４８】
ステップＳ１２において、予約投票ではなく、本投票であれば、当該投票データを予約投票管理サーバ２に送信する。
【００４９】
予約投票管理サーバ２側では、ステップＳ１６において、投票端末から、投票データと、本投票移行時間および移行確認時間に関するデータを受信し、ステップＳ１７において、送られてきた投票データは、予約フラグが立っているかを判断する。予約フラグがなければ、通常の本投票処理となり、受信したデータを投票ホスト１へ送信する。
【００５０】
ステップＳ１７において、予約フラグがある場合には、ステップＳ１９に進み、受信データを予約投票テーブル３０１に展開する。そして、ステップＳ２０において、予約投票された票数を予約票数テーブル３０５の該当箇所に加算する。
【００５１】
図１３は、本発明の実施の形態になる本票数の取得フローを示す。予約投票管理サーバ２において、ステップＳ２１で、開催場、レース番号、式別データ、およびそれらの票数要求コマンドを投票ホスト１に送信する。
【００５２】
票数要求コマンドを受信した投票ホスト１側では、ステップＳ２６において、指定された条件の票数をセットし、ステップＳ２７において、対象となる本投票の票数のデータを送り返す。
【００５３】
予約投票管理サーバ２は、ステップＳ２２において、投票ホスト１から送信された本票数のデータを受信し、本票数テーブル３０４に配置する。つぎに、ステップＳ２３において、本投票の全データが受信されたかを判定する。全データの受信が完了していれば、ステップＳ２４において、レース毎、式別毎に本票数テーブル３０４と予約票数テーブル３０５の各々の値を加算する。そして、加算したデータを仮票数テーブル３０６に展開する。
【００５４】
図１４は、本発明の実施の形態になる本投票移行確認のフローを示す。予約投票管理サーバ２において、まず、ステップＳ３４で、現在の時刻が予約投票テーブル３０１の「予約⇒本投票移行確認時間」となったかを判定する。確認時間になっていれば、ステップＳ３５で、予約投票テーブル３０１の「取消」があるかを判定し、「取消」がなければ、つぎに、ステップＳ３６において、「予約⇒本投票移行」が完了となっているかを判定する。完了していなければ、ステップＳ３７において、予約⇒本投票移行確認が必要な投票データ（開催場、レース番号、式別、買目、票数等）および利用者番号をセットする。
【００５５】
つぎに、ステップＳ３８において、セットされた投票データを当該利用者番号の投票端末へ送信する。
【００５６】
上記ステップＳ３４で、現在時刻が確認時間になっていない場合、ステップＳ３５で、予約が取り消されている場合、およびステップＳ３６で、本投票移行が完了となっている場合は、つぎのレコードに移り、ステップＳ３４以降の処理を全レコードが終わるまで繰り返す。
【００５７】
各投票端末側では、ステップＳ３１において、予約⇒本投票移行確認画面を表示し、ステップＳ３２において、変更時間データあるいは取消データをセットする。そして、ステップＳ３３で、予約投票管理サーバ２へ変更または取消のセットデータを送信する。
【００５８】
図１５は、本発明の実施の形態になる本投票移行のフローを示す。まず、ステップＳ４１で、現在の時刻が予約投票テーブル３０１の「予約⇒本投票移行時間」となったかを判定する。移行時間になっていれば、ステップＳ４２で、予約投票テーブル３０１の「取消」があるかを判定し、「取消」がなければ、つぎに、ステップＳ４３で、「予約⇒本投票移行」が完了となっているかを判定する。完了していなければ、ステップＳ４４において、予約⇒本投票移行が必要な投票データ（開催場、レース番号、式別、買目、票数等）をセットする。
【００５９】
つぎに、ステップＳ４５において、セットした投票データを投票ホスト１に送信し、ステップＳ４６で、予約投票テーブル３０１の「予約⇒本投票移行完了」を「完」にセットする。
【００６０】
また、上記ステップＳ４１で、現在時刻が本投票移行時間になっていない場合、ステップＳ４２で、予約が取り消されている場合、およびステップＳ３６で、本投票移行が完了となっている場合は、つぎのレコードに移り、ステップＳ４１以降の処理を全レコードが終わるまで繰り返す。
【図面の簡単な説明】
【００６１】
【図１】本発明の実施の形態になる予約投票管理システムの構成例を示す図である。
【図２】本発明の実施の形態になる予約投票管理サーバの構成例を示す図である。
【図３】本発明の実施の形態になる投票端末に表示される予約投票画面例（その１）を示す図である。
【図４】本発明の実施の形態になる投票端末に表示される予約投票画面例（その２）を示す図である。
【図５】本発明の実施の形態になる投票端末に表示される予約投票画面例（その３）を示す図である。
【図６】本発明の実施の形態になる投票端末に表示される予約投票確認画面例を示す図である。
【図７】本発明の実施の形態になる予約投票テーブルを示す図である。
【図８】本発明の実施の形態になる投票締切時間テーブルを示す図である。
【図９】本発明の実施の形態になる利用者データテーブルを示す図である。
【図１０】本発明の実施の形態になる本票数テーブルおよび予約票数テーブルから仮票数テーブルを算出する例を示す図である。
【図１１】本発明の実施の形態になる仮オッズテーブルを示す図である。
【図１２】本発明の実施の形態になる予約投票システムの予約処理フローを示す図である。
【図１３】本発明の実施の形態になる本票数の取得フローを示す図である。
【図１４】本発明の実施の形態になる本投票移行確認のフローを示す図である。
【図１５】本発明の実施の形態になる本投票移行のフローを示す図である。
【符号の説明】
【００６２】
１  投票ホスト
２  予約投票管理サーバ
３  携帯／在席投票端末用投票サーバ
４  電話投票サーバ
５  投票券自動発売機
６  在席投票端末
７  携帯投票端末
８  競技場内ＬＡＮ
９  場内無線ＬＡＮアンテナ
１０  公衆網／インターネット
１１  パソコン
１２  専用端末
１３  携帯電話
２１  主制御部（ＣＰＵ）
２２  本オッズ計算部
２３  仮オッズ計算部
２４  ホスト側通信制御部
２５  本投票管理部
２６  予約投票管理部
２７  オッズ情報提供部
２８  下位サーバ側通信制御部
２９  記憶部  
１０１  予約投票格納手段
１０２  移行確認手段
１０３  変更手段
１０４  本投票移行通知手段
２０１  票数集計手段
２０２  仮オッズ計算手段
２０３  オッズ情報送信手段
３０１  予約投票テーブル
３０２  投票締切時間テーブル
３０３  利用者データテーブル
３０４  本票数テーブル
３０５  予約票数テーブル
３０６  仮票数テーブル
３０７  仮オッズテーブル
【図１】
2005322151.tif 000003
【図２】
2005322151.tif 000004
【図３】
2005322151.tif 000005
【図４】
2005322151.tif 000006
【図５】
2005322151.tif 000007
【図６】
2005322151.tif 000008
【図７】
2005322151.tif 000009
【図８】
2005322151.tif 000010
【図９】
2005322151.tif 000011
【図１０】
2005322151.tif 000012
【図１１】
2005322151.tif 000013
【図１２】
2005322151.tif 000014
【図１３】
2005322151.tif 000015
【図１４】
2005322151.tif 000016
【図１５】
2005322151.tif 000017